(57)【要約】      （修正有）【課題】パック用フェイスマスクを提供する。【解決手段】マスクシート１０の上部に、剥離層２０を設け、マスクシート１０と剥離層２０には顔の目、唇等に対応させる穴１１と穴２１を設け、マスクシート１０及び剥離層２０のエッジの相対箇所には、一本以上のカット線１２、カット線２２を設ける。前記剥離層２０には浸透孔２３を一面に散らばらせ、マスクシート１０、剥離層２０の周囲の非限定位置には、一本或いは一本以上の孤形切込１４、２４を設ける。マスクシート１０及び剥離層２０の顔の目、唇等の穴１１、穴２１及び頬の位置には、一本或いは一本以上のカット点線１５、カット点線２５を設け、カット点線１５、カット点線２５は破線の如く、連結と切れ目が継続したものである。各カット点線１５、カット点線２５は、複数の長いカット線部１５１、長いカット線部２５１及び複数の短い連接部１５２、短い連接部２５２によって構成される。【選択図】図２
0003187734.tif 000002
【実用新案登録請求の範囲】
【請求項１】
マスクシートの上部に剥離層を設け、前記マスクシートと前記剥離層には顔の目、唇等に対応させる穴を設け、前記マスクシート及び前記剥離層のエッジの相対箇所には、一本以上のカット線を設け、前記剥離層には浸透孔を一面に散らばらせ、前記マスクシート及び前記剥離層周囲の非限定位置には、一本或いは一本以上の孤形切込を設けるパック用フェイスマスクであって、
前記マスクシート及び前記剥離層の顔の目、唇等の穴周囲、及び頬の位置に、一本或いは一本以上のカット点線を設け、前記カット点線は破線の如く連結と切れ目が継続することを特徴とするパック用フェイスマスク。
【請求項２】
前記カット点線は、複数の長いカット線部と複数の短い連接部によって構成されることを特徴とする請求項１に記載のパック用フェイスマスク。
【考案の詳細な説明】
【技術分野】
【０００１】
本考案は、特に、個人の顔、五官に対する調整を行え、様々な顔に使用できるパック用フェイスマスクに関する。
【背景技術】
【０００２】
「パック用フェイスマスク」は、台湾女性のスキンケアの基本商品である。主に、不織布に美容液を加えて、構成された美顔、スキンケア用フェイスマスクであり、使用者はフェイスマスクを顔にのせて美容液を肌に吸収させて、美顔効果を発揮する。報告によれば、台湾においてフェイスマスクは年間9000万枚以上が使用されており、これからもフェイスマスクの魅力が理解される。
【０００３】
公知のフェイスマスク３０は面積減少のために（図１参照）、マスクシート３１（不織布）上に非通気性材質のパール紙３２を重ね合わせ、包装袋内に入れて携帯の利便を図っているが、マスクシート３１が美容液を吸収する際、パール紙３２との分離が難しい。そこで、業界では、外周に複数のカット線３２１を設けたパール紙３２を創出し、パール紙３２上には貫通孔３２２を開け、前記カット線３２１を用いてマスクシート３１からの分離を簡単に行なわせ、尚且つ、貫通孔３２２から美容液を浸透させているが、カット線３２１が切断状である故に、次のような欠点が見られる。
【０００４】
１.切断するカット線が過多であると、マスクシートの強度に影響を及ぼし、破れ易くなるため、使用上不便である。
【０００５】
２.前述の通り、カット線が過多であると、包装袋内に入れ難くなると共に、マスクシートが開き難く、剥離層にくっつき易くなり、剥離層を剥がす動作が難しくなる。
【０００６】
３.紙の強度を保持させたいが、このカット線が不足すると、フェイスマスクは使用者の顔に応じて調整できなくなり、顔にぴったり付けることができなくなる。
【考案の概要】
【考案が解決しようとする課題】
【０００７】
前記のニーズに鑑み、本考案者は研究開発改善を続け、一種のパック用フェイスマスクを生み出した。それは、紙の強度を保持し、個人の顔、五官に対して調整を行え、様々な顔に密着させることができるパック用フェイスマスクに関する。
【課題を解決するための手段】
【０００８】
前記目的を達成するために、開示するパック用フェイスマスクは主に、マスクシートの上部に剥離層を設け、マスクシート及び剥離層のエッジの相対箇所に一本以上のカット線を設け、剥離層には浸透孔を一面に散らばらせる。マスクシート及び剥離層周囲の非限定位置には一本或いは一本以上の孤形切込を設ける。顔の目、唇等の穴周囲、及び頬の位置に、一本或いは一本以上のカット点線を設け、カット点線は破線の如く、連結と切れ目が継続したものである。各カット点線は複数の長いカット線部と複数の短い連接部によって構成される。前記構造のフェイスマスクを用いてパックする際は、マスクシートを顔に密着させ、カット点線の短い連接部を押すだけで、短い連接部は切断されてカット点線を開口状にし、フェイスマスクの面積を広げることができる。これにより、異なる顔型、五官に適用するフェイスマスクとなる。
【考案の効果】
【０００９】
本考案のパック用フェイスマスクは、特に、個人の顔、五官に対して調整を行え、様々な顔に使用できるパック用フェイスマスクに関する。
【図面の簡単な説明】
【００１０】
【図１】公知のフェイスマスクを示した図である。
【図２】本考案の組み合わせを示す図である。
【図３】本考案の分解図である。
【図４】本考案の操作図である。
【考案を実施するための形態】
【００１１】
貴庁の審査委員の方々に本考案の構造特徴及び実用的な効果をご理解して頂くために、次に、図面を組み合わせた好ましい実施例による詳細説明を行なう。
【実施例】
【００１２】
図２及び図３に示すとおり、本考案は主に、マスクシート１０（不織布等材質）の上部に、剥離層２０（パール紙等材質）を設け、マスクシート１０と剥離層２０には顔の目、唇等に対応させる穴１１と穴２１を設け、マスクシート１０及び剥離層２０のエッジの相対箇所には、一本以上のカット線１２、カット線２２を設ける。前記剥離層２０には浸透孔２３を一面に散らばらせ、マスクシート１０、剥離層２０の周囲の非限定位置には、一本或いは一本以上の孤形切込１４、２４を設ける。
【００１３】
マスクシート１０及び剥離層２０の顔の目、唇等の穴１１、穴２１及び頬の位置には、一本或いは一本以上のカット点線１５、カット点線２５を設け、カット点線１５、カット点線２５は破線の如く、連結と切れ目が継続したものである。各カット点線１５、カット点線２５は、複数の長いカット線部１５１、長いカット線部２５１及び複数の短い連接部１５２、短い連接部２５２によって構成される。
【００１４】
前記構造において、浸透孔２３によって注入された美容液は、マスクシート１０方向に導かれ、美容液はマスクシート１０に吸収される。パックする際、使用者の顔が面長の場合は、両目の穴間のカット点線２５の短い連接部２５２、カット点線１５の短い連接部１５２を押すだけで、短い連接部１５２及び短い連接部２５２は切断され、カット点線を開口状１６、２６（図４参照）とし、マスクシート１０の面積を広げて、面長の顔に適するものとなり、使用者の顔に密着させられる。このような方式で使用者の顔型及び五官に応じた調整を行うことができ（即ち調整を必要とする位置を押す。例えば目の周囲或いは両頬等箇所のカット点線）、マスクシートの強度にも影響を及ぼすことはない。
【００１５】
前述した通り、本考案のパック用フェイスマスクは、実用性及び進歩性を確実に備えたものである故、ここに、法に依拠し貴庁に実用新案の出願を提出する。
【符号の説明】
【００１６】
（本考案のフェイスマスク）
１０          マスクシート
１１          穴
１２          カット線
１３          エッジ
１４          孤形切込
１５          カット点線
１５１  長いカット線部
１５２  短い連接部
２０          剥離層
２１          穴
２２          カット線
２３          浸透孔
２４          孤形切込
２５    カット点線
２５１  長いカット線部
２５２  短い連接部
（従来のフェイスマスク）
３０    フェイスマスク
３１    マスクシート
３２          パール紙
３２１  カット線
３２２  貫通孔
【図１】
0003187734.tif 000003
【図２】
0003187734.tif 000004
【図３】
0003187734.tif 000005
【図４】
0003187734.tif 000006